(57)【要約】  本発明は、遊技機に外部電力が供給されていない電源遮断時における不正行為を監視できるようにして、セキュリティを向上させた遊技機に関する。  本発明の遊技機は、遊技者が所定の遊技を行うことが可能な遊技機であって、機体に対する不正行為を含む異常状態を検出する検出センサ60と、遊技機に設けられる電気部品を制御するとともに、外部からの電力供給が停止されているときに検出センサ60からの検出信号に基いて、バックアップ電源より電力を受け所定時間作動し、検出センサ60の検出信号出力時における情報を記憶手段37に記憶させ、所定時間経過後、作動を停止する制御手段30とを備える。
2007122935.tif 000002
【特許請求の範囲】
【請求項１】
遊技機に対する不正行為を含む異常状況を検出する検出センサと、
前記遊技機に対する外部からの電力供給が停止されているときに前記検出センサからの検出信号に基づいて前記遊技機内に設けられたバックアップ電源より電力の供給を受けて所定時間作動し、前記検出センサの検出信号出力時における情報を記憶手段に記憶させ、前記所定時間経過後作動を停止する制御手段と、
を備えたことを特徴とする遊技機。
【請求項２】
遊技者が所定の遊技を行うことが可能な遊技機の機体内に設けられ、前記遊技機に対し外部から電力供給が停止されているときに、前記遊技機内の所定の部位に限定して電力を供給するバックアップ電源と、
前記バックアップ電源からの電力供給を受けて作動し、不正行為を含む異常状況を検出する検出センサと、
前記バックアップ電源からの電力供給を受けて作動して計時する計時手段と、
前記検出センサが前記異常状況を検出したときに前記計時手段が計時した時刻における情報を前記バックアップ電源からの電力供給を受けて作動して記憶する記憶手段と、
前記記憶手段に対して前記検出センサの前記異常状況の検出に基づいて前記バックアップ電源からの電力供給を受けて所定時間作動し、前記検出センサが前記異常状況を検出した時刻における情報を記憶させ、前記所定時間経過後作動を停止する制御手段と、
を備えたことを特徴とする遊技機。
【請求項３】
前記検出センサが前記異常状況を検出した時点から予め定められた所定時間作動して、前記制御手段に前記バックアップ電源からの電力を供給し、前記所定時間内に前記制御手段を作動させて前記検出センサが前記異常状況を検出した時刻を前記記憶手段に記憶させるタイマー手段を更に備えたことを特徴とする請求項１又は２記載の遊技機。
【請求項４】
前記記憶制手段が記憶する情報には、前記検出センサが異常状況を検出したときの日時情報を含むことを特徴とする請求項１〜３のいずれかに記載の遊技機。
【請求項５】
前記検出センサは、前記遊技機に対し外部から電力供給が停止されているとき、電気部品を収容した筐体に開閉可能に設けられる扉の開閉を検出する扉開閉検出センサを含むことを特徴とする請求項１〜４のいずれかに記載の遊技機。
【請求項６】
前記制御手段は、前記検出センサが前記扉の開閉を検出したときの日時情報を前記記憶手段に記憶させることを特徴とする請求項５記載の遊技機。
【発明の詳細な説明】
【技術分野】
【０００１】
本発明は、セキュリティを向上させた遊技機に関する。
【背景技術】
【０００２】
パチンコ機、スロットマシン等のように、遊技者が所定の遊技を行うことが可能な遊技機において、遊技機への外部電源投入時、各種電気部品の診断部位の異常有無を診断して、その診断結果を記憶手段に記憶するとともに、記憶した診断結果を表示装置に表示させるようにしたものがある（例えば、特許文献１参照）。【０００３】
また、各種電気部品を収容した筐体とこの筐体の前面に開閉可能に設けられた前扉との間に、前扉の開閉を検出する開閉検出センサを設けたものもある（例えば、特許文献２参照）。
【特許文献１】特開平９−２５３３１１号公報
【特許文献２】特開２００３−２４５０５号公報
【発明の開示】
【発明が解決しようとする課題】
【０００４】
しかし、上述のような遊技機においては、例えば、遊技機を生産する生産工場から遊技店に搬送する間や遊技店の営業時間外等のように、遊技機に外部電源の電力が供給されていない電源遮断時、前扉が不正に開けられて、電気部品に不正行為が行われた事実があったとしても、これを確認する術はない。したがって、遊技機の電源遮断時、前扉が開けられて、筐体内の電気部品に不正がされているか否かを確認することは極めて困難でありセキュリティ面で問題がある。【０００５】
本発明は、上述のような従来の課題に鑑み、遊技機に外部電力が供給されていない電源遮断時における不正行為を監視できるようにして、セキュリティを向上させた遊技機を提供することを目的とする。
【課題を解決するための手段】
【０００６】
本発明によると、上記課題は、次のようにして解決される。
（１）遊技機に対する不正行為を含む異常状況を検出する検出センサと、前記遊技機に対する外部からの電力供給が停止されているときに前記検出センサからの検出信号に基づいて前記遊技機内に設けられたバックアップ電源より電力の供給を受けて所定時間作動し、前記検出センサの検出信号出力時における情報を記憶手段に記憶させ、前記所定時間経過後作動を停止する制御手段とを備える。【０００７】
（２）遊技者が所定の遊技を行うことが可能な遊技機の機体内に設けられ、前記遊技機に対し外部から電力供給が停止されているときに、前記遊技機内の所定の部位に限定して電力を供給するバックアップ電源と、前記バックアップ電源からの電力供給を受けて作動し、不正行為を含む異常状況を検出する検出センサと、前記バックアップ電源からの電力供給を受けて作動して計時する計時手段と、前記検出センサが前記異常状況を検出したときに前記計時手段が計時した時刻における情報を前記バックアップ電源からの電力供給を受けて作動して記憶する記憶手段と、前記記憶手段に対して前記検出センサの前記異常状況の検出に基づいて前記バックアップ電源からの電力供給を受けて所定時間作動し、前記検出センサが前記異常状況を検出した時刻における情報を記憶させ、前記所定時間経過後作動を停止する制御手段とを備える。【０００８】
（３）上記(１)又は(２)項において、前記検出センサが前記異常状況を検出した時点から予め定められた所定時間作動して、前記制御手段に前記バックアップ電源からの電力を供給し、前記所定時間内に前記制御手段を作動させて前記検出センサが前記異常状況を検出した時刻を前記記憶手段に記憶させるタイマー手段を更に備える。【０００９】
（４）上記(１)〜(３)項において、前記記憶制手段が記憶する情報には、前記検出センサが異常状況を検出したときの日時情報を含む。【００１０】
（５）上記(１)〜(４)項のいずれかにおいて、前記検出センサは、前記遊技機に対し外部から電力供給が停止されているとき、電気部品を収容した筐体に開閉可能に設けられる扉の開閉を検出する扉開閉検出センサを含む。【００１１】
（６）上記(５)項において、前記制御手段は、前記検出センサが前記扉の開閉を検出したときの日時情報を前記記憶手段に記憶させる。
【発明の効果】
【００１２】
本発明によれば、次のような効果が奏せられる。
請求項１記載の発明によると、遊技機に外部電力が停止されているとき、遊技機に対する不正行為を含む異常状況を検出する検出センサからの検出信号に基づいて、バックアップ電源より電力の供給を受けて所定時間作動して、検出センサの検出信号出力時における情報を記憶手段に記憶させ、所定時間経過後作動を停止する制御手段を備えるため、バックアップ電源の消費電力を節約することができるとともに、記憶手段に記憶された情報に基づいて不正行為を監視することができ、セキュリティの向上を図ることができる。【００１３】
請求項２記載の発明によると、遊技機に外部電力が停止されているとき、遊技機に対する不正行為を含む異常状況を検出する検出センサからの検出信号に基づいて、バックアップ電源より電力の供給を受けて所定時間作動し、検出センサが異常状況を検出したときの時刻情報を記憶手段に記憶させ、所定時間経過後作動を停止する制御手段を備えるため、バックアップ電源の消費電力を節約することができるとともに、記憶手段に記憶された時刻情報に基づいて不正行為を監視することができ、セキュリティの向上を図ることができる。【００１４】
請求項３記載の発明によると、タイマー手段により、制御手段を所定時間内だけ作動させて検出センサが異常状況を検出した時刻を記憶手段に記憶させることができる。【００１５】
請求項４記載の発明によると、検出センサが検出した異常状況の日時情報に基いて、遊技機の異常の有無を監視することができる。【００１６】
請求項５記載の発明によると、遊技機に対し外部から電力供給が停止されているとき、筐体に開閉可能に設けられる扉の開閉情報に基づいて、遊技機の異常の有無を監視することができる。【００１７】
請求項６記載の発明によると、検出センサが扉の開閉を検出したときの日時情報に基づいて、遊技機の異常の有無を監視することができる。
【図面の簡単な説明】
【００１８】
【図１】本発明の実施形態を適用した遊技機の斜視図である。
【図２】前扉を開けた状況の遊技機の斜視図である。
【図３】制御回路の一例を示すブロック図である。
【図４】本発明における実施例１の制御回路の要部のブロック図である。
【図５】同じく制御回路の動作タイミングを示すタイムチャート図である。
【図６】同じく表示画面に表示される表示例である。
【図７】本発明における実施例２の制御回路の要部のブロック図である。
【図８】同じく電源供給制御部のブロック図である。
【図９】同じく電源供給制御部の一例を示す回路図である。
【図１０】同じく制御回路の動作タイミングを示すタイムチャート図である。
【図１１】同じく表示画面に表示される表示例である。
【図１２】本発明における実施例３の制御回路の要部のブロック図である。
【図１３】同じく電源供給制御部のブロック図である。
【図１４】同じく電源供給制御部の一例を示す回路図である。
【図１５】同じく制御回路の動作タイミングを示すタイムチャート図である。
【図１６】同じく表示画面に表示される表示例である。
【符号の説明】
【００１９】
１  遊技機
２  筐体
２ａ  後板
３  前扉
３ａ  受皿
４  主制御基板
５  副制御基板
６  回転リールユニット
７  ホッパーユニット
８  外部電源供給装置
９  表示装置（表示手段）
１０  中継基板
１１  スピーカ
１２  メダルセレクター
１３  フック
１４  異常確認用操作スイッチ（操作スイッチ）
１５  情報表示窓
１６  遊技情報表示操作スイッチ
１７  識別情報表示窓
１８  メダル投入部
１９  ＭＡＸベットボタン
２０  １ベットボタン
２１  スタートレバー
２２  ストップボタン
２３  精算ボタン
２４  キーシリンダ
２５  リセットスイッチ
２６  メダル検出センサ
２７  ランプ
３０  制御部（制御手段）
３１  ＲＯＭ
３２  ＣＰＵ
３３  ＲＡＭ
３４  バックアップ電源
３５  タイマー回路部（タイマー手段）
３５ａ  マルチバイブレータ素子
３５ｂ  ＣＲ回路
３６  時計モジュール（計時手段）
３７  メモリ（記憶手段）
５０  電源供給制御部
５１  ＲＯＭ
５２  ＣＰＵ（制御手段）
５３  ＲＡＭ（記憶手段）
５４  Ｉ／Ｏポート
５５  バックアップ電源
５６  時計モジュール（計時手段）
５７  電源供給制御部
６０  扉開閉検出センサ（検出センサ）
６１  回転リール
６２  モータ駆動回路
６５  ＤＣＶ
９１  表示画面
９２  液晶制御基板
１０１  外部電源投入信号
１０２  扉開放信号
１０２ａ  開閉信号
１０３  バックアップ電源投入制御信号
２０１  開日時情報
２０２  閉日時情報
２０３  外部電源投入日時情報
２０４  電力供給源識別情報
５００  ＣＰＵ電源供給制御部
５１０  信号処理部
５２０  バックアップ電源投入制御信号生成部
５２１、５２２、５２３  ＮＡＮＤゲート
５２４  ＯＲゲート
５２５  ＡＮＤゲート
５３０  ＣＰＵ電源切替部
５５０  ＲＡＭ電源供給制御部
５６０  ＲＡＭ電源切替部
５７１  バックアップ電源投入制御信号生成部
５７２  電源切替部
５７３、５７４、５７５  ＮＡＮＤゲート
Ｒ１、Ｒ２  抵抗（タイマー手段）
Ｃ１、Ｃ２  コンデンサ（タイマー手段）
【発明を実施するための最良の形態】
【００２０】
図１は、本発明の実施形態を適用した遊技機（スロットマシン）の斜視図、図２は、前扉を開けた状態の遊技機の斜視図、図３は、制御回路の一例を示すブロック図、図４〜図６は、実施例１を示し、図７〜図１１は、実施例２を示し、図１２〜図１６は、実施例３を示す。なお、図１〜図３は、実施例１〜３共通である。また、以下の説明においては、図１、２における左斜め下方を「前方」とし、図１、２における右斜め上方を「後方」とする。【００２１】
遊技機１としてのスロットマシンは、前面が開放した正面視矩形の筐体２と、筐体２の左側部に上下方向を向く上下１対のヒンジ軸（図示略）により開閉可能に枢支された前扉(３)とを備える。【００２２】
図２に示すように、筐体２内には、遊技を統括的に制御する主制御基板４、遊技に係わる演出の制御及び前扉３の開情報を含む異常情報等を出力可能な副制御基板５、複数種類の図柄、数字等で構成される識別情報を変動表示及び停止表示可能な回転リールユニット６、遊技媒体であるメダルを貯留及び払出可能なホッパーユニット７、遊技機１の各種電気部品に外部電源の電力を供給する外部電源供給装置８等の遊技に係わる電気部品が収容されている。なお、各電気部品に対する外部電源供給装置８からの外部電力の供給は、主制御基板４を経由して行われる。【００２３】
筐体２における前扉３に対向する箇所には、検出センサをなす前扉３の開閉を検出可能な扉開閉検出センサ６０が配設されている。扉開閉検出センサ６０が検出した前扉３の開放信号は、副制御基板５に送信される。なお、前扉３の開閉を検出する扉開閉検出センサ６０は、機械的な作動で電気回路を開閉する機能をもつ機械式のリミットスイッチ等が好ましい。【００２４】
主制御基板４は、不正な改造、交換等を防止するため、透明な基板ボックス内に収容された状態で筐体２内の後板２ａに固定され、基板ボックスに設けられた封止部分を破壊しない限り基板ボックスから取り出せないようになっている。【００２５】
回転リールユニット６は、外周面に識別情報が印刷または貼付された左、中、右の３個の回転リール６１と、各回転リール６１を回転させるためのモータの回転を制御するモータ駆動回路６２とを備える。モータ駆動回路６２は、主制御基板４が出力する制御コマンドに基いて、各回転リール６１のモータの回転、停止を制御する。【００２６】
前扉３の裏面側には、副制御基板５が出力する遊技に係わる情報、演出情報、前扉３の開閉情報等を表示可能な液晶の表示画面９１を有する表示装置９、副制御基板５が出力する制御信号を中継する中継基板１０、効果音を発生する左右のスピーカ１１、後述のメダル投入部１８に投入されるメダルの真偽を判別し、真のメダルのみをホッパーユニット７に誘導するメダルセレクター１２が設けられている。【００２７】
前扉３の裏面側周囲の開放側（右側）には、筐体２側の適所に係脱可能な上、下のフック１３が枢支されている。フック１３は、筐体２の適所に係合することにより前扉３を閉止状態に拘束する。【００２８】
中継基板１０には、扉開閉検出センサ６０が検出した不正情報、すなわち前扉３の開閉情報及びその他の情報を表示画面９１に表示させるときに操作される異常確認用操作スイッチ１４が設けられている。異常確認用操作スイッチ１４は、遊技店の係員のみが所持しているキーを用いて、フック１３の係合を解除して前扉３を開けた状態でのみ操作可能であって、遊技者は操作することはできない。【００２９】
図１に示すように、前扉３の前面には、表示装置９の表示画面９１に表示される遊技に係わる情報、演出情報を透視可能な遊技情報表示窓１５、遊技機１に係わる遊技の履歴データを表示画面９１に表示させるときに操作される遊技情報表示操作スイッチ１６、各回転リール６１の識別情報を３こまずつ透視可能な識別情報表示窓１７、及び遊技を光演出するランプ２７が設けられている。【００３０】
識別情報表示窓１７の下方には、遊技を開始するときにメダルが投入されるメダル投入部１８、メダルの賭数を最大限（３枚）に設定するＭＡＸベットボタン１９、メダルの賭数を１枚に設定する１ベットボタン２０、全ての回転リール６１を一斉に回転させるときに操作されるスタートレバー２１、各回転リール６１の回転を個別に停止させるときに操作される３個のストップボタン２２、遊技を精算するときに操作される精算ボタン２３、遊技店の係員が所持しているキーにより操作可能なキーシリンダ２４等が設けられている。【００３１】
キーシリンダ２４をキーにより時計方向へ操作した場合には、フック１３を解除作動させて前扉３を開くことができる。また、キーシリンダ２４をキーにより反時計方向へ操作した場合には、前扉３の裏面側に設けられたリセットスイッチ２５（図３参照）がキー操作を検出して遊技に係わる電気部品のエラーを解除させることができる。【００３２】
なお、ＭＡＸベットボタン１９、１ベットボタン２０、スタートレバー２１、各ストップボタン２２及び精算ボタン２３には、それぞれの操作を検出するためのセンサが内蔵されている。【００３３】
次に、遊技機１の遊技方法について簡単に説明する。遊技者がメダルをメダル投入部１８に投入して、ＭＡＸベットボタン１９（または、１ベットボタン２０）の操作により遊技の賭数を設定した後、スタートレバー２１を操作して各回転リール６１を一斉に回転させる。そして、所定時間経過後に各回転リール６１に対応する各ストップボタン２２を順次操作して、各回転リール６１を停止させる。【００３４】
各回転リール６１が停止したときの、識別情報表示窓１７内の有効ライン上に表示される左、中、右の識別情報の組み合わせにより、入賞の有無、及び賞の大小が決定され、入賞態様に応じた数のメダルがホッパーユニット７から前扉３の下部に設けられた受皿３ａに払い出される。そして、入賞のうち特定遊技状況となった場合には、所定の効果音をスピーカ１１から発生させたり、表示装置９の表示画面９１に特定遊技状態に係わる遊技情報や演出情報等を表示させる等して演出効果を高める。【００３５】
次に、図３を参照して、遊技機１全体の制御回路について説明する。
主制御基板４は、制御プログラム及びデータを記憶したＲＯＭとＣＰＵのワークエリアとして機能するＲＡＭとともに一体型のワンチップＣＰＵとして構成される制御部を有し、ＲＯＭに記憶された制御プログラムにより、一連の制御処理を実行する。【００３６】
主制御基板４におけるＲＯＭには、遊技機１の遊技に関する基本的なプログラムが記憶されているとともに、各入賞の当選確率、入賞に対するメダルの払出し数等のデータテーブルが書き込まれている。ＣＰＵは、ＲＯＭのプログラムにしたがって遊技制御、例えば、回転ユニット６における回転リール６１の回転、停止の制御等を実行する。【００３７】
主制御基板４の入力インターフェースには、外部電源供給装置８、ＭＡＸベットボタン１９、１ベットボタン２０、スタートレバー２１、ストップボタン２２、精算ボタン２３、リセットスイッチ２５、ホッパーユニット７、メダルセレクター１２を通過したメダルを検出するメダル検出センサ２６等が接続されている。【００３８】
主制御基板４の出力インターフェースには、ホッパーユニット７、回転リールユニット６のモータ駆動回路６２及び副制御基板５が接続されている。【００３９】
主制御基板４の制御部は、スタートレバー２１のスタート信号を受けたことを契機に、数値データ更新データにより入賞か否かを抽選し、その抽選結果に基づく制御コマンドを回転リールユニット６のモータ駆動回路６２に送信して、各回転リール６１のモータを個別に制御するとともに、副制御基板５に演出コマンドを送信する。【００４０】
副制御基板５の入力インターフェースには、主制御基板４、異常確認用操作スイッチ１４、遊技情報表示操作スイッチ１６及び扉開閉検出センサ６０が接続され、また、同じく出力インターフェースには、中継基板１０を経由して、表示装置９、スピーカ１１、ランプ２７が接続されている。【００４１】
外部電源供給装置８に外部電源が接続されて、遊技機１全体に外部電力が供給されているとき（例えば、遊技店の営業中）、副制御基板５は、主制御基板４が出力する制御コマンドに基づいて、表示装置９の液晶制御基板９２（図４参照）に表示情報を送信して表示画面９１に文字、画像等を表示させたり、ランプ２７を点灯表示させたり、スピーカ１１に音声、音楽等を出力させたりして演出表示を行う。【００４２】
（実施例１）
図４は、実施例１における制御回路の要部のブロック図、図５は、同じく制御回路の動作タイミングを示すタイムチャート図、図６は、同じく表示画面に表示される表示例である。【００４３】
副制御基板５には、制御プログラムおよびデータを記憶したＲＯＭ３１とＣＰＵ３２のワークエリアとして機能するＲＡＭ３３と共に一体型のワンチップＣＰＵとして構成される制御手段をなす制御部３０と、所定の部位に限定して電力を供給するバックアップ電源３４と、タイマー手段をなすタイマー回路部３５と、検出センサ６０が前扉３の開閉を検出した時刻を計時する計時手段をなす時計モジュール３６と、前扉３の開閉状態を記憶するための記憶手段をなすメモリ３７等が設けられている。なお、実施例１におけるメモリ３７は、バックアップ電源３４の消費電力を押さえるために、記憶保持のための動作を必要としないＳＲＡＭ（static random access memory）や動作時のみ電力を必要するフラッシュメモリ（flash memory）等の不揮発性の半導体メモリを用いるのが好ましい。また、メモリ３７は、ＣＰＵ３１内のＲＡＭ３３に設けても良い。【００４４】
バックアップ電源３４の電力は、制御部３０、タイマー回路部３５、時計モジュール３６、メモリ３７及び扉開閉検出センサ６０の部位に限定して電力を供給する。【００４５】
タイマー回路部３５、時計モジュール３６、メモリ３７及び扉開閉検出センサ６０に対しては、遊技機１の電源断時、例えば、遊技機１を工場から遊技店に搬送するまでの期間や遊技店の営業時間外、バックアップ電源３４の電力が常時供給され、また、制御部３０に対しては、タイマー回路部３５が計時動作したときのみ、バックアップ電源３４の電力が供給されるようになっている。【００４６】
タイマー回路部３５は、マルチバイブレータ素子３５ａとＣＲ回路３５ｂとにより構成され、遊技機１の電源断時、扉開閉検出センサ６０が前扉３の開閉を検出したことを契機に、バックアップ電源３４の電力により予め定めた所定時間Ｔ計時動作して、制御部３０にバックアップ電源３４の電力を供給させる。【００４７】
具体的には、図５に示すように、扉開閉検出センサ６０が前扉３の開を検出して、その開信号（例えば、ＨＩＧＨ信号）がタイマー回路部３５に入力されると、これを契機に、タイマー回路部３５は、バックアップ電源３４により、予め定めた所定時間Ｔ（数msec）計時動作し、この所定時間Ｔ内にバックアップ電源３４の電力を制御部３０に供給して制御部３０を作動させ、所定時間Ｔ経過すると、計時動作を終了して制御部３０に対してバックアップ電源３４の電力供給を停止させる。なお、所定時間Ｔは、制御部３０がメモリ３７に情報を記憶させるために必要な時間に基いて設定される。【００４８】
制御部３０は、バックアップ電源３４の電力が供給されたことを契機に、自体が起動した日時、すなわち、扉開閉検出センサ６０が前扉３の開を検出した日時を時計モジュール３６から読み取ってメモリ３７に記憶させる。【００４９】
さらに、その後、扉開閉検出センサ６０が前扉３の閉を検出して、その閉信号（例えば、ＬＯＷ信号）がタイマー回路部３５に入力されると、これを契機に、タイマー回路部３５は、バックアップ電源３４により、再び予め定めた所定時間Ｔ計時動作し、バックアップ電源３４の電力を制御部３０に供給させ、所定時間Ｔ経過すると、計時動作を終了して制御部３０に対してバックアップ電源３４の電力供給を停止させる。【００５０】
制御部３０は、バックアップ電源３４の電力が供給されたことを契機に、自体が起動した日時、すなわち、扉開閉検出センサ６０が前扉３の閉を検出した日時を時計モジュール３６から読み取ってメモリ３７に記憶させる。【００５１】
これにより、バックアップ電源３４の電力消費を節約することができ、遊技機１の電源断時における前扉３の不正な開閉を長時間に亘って監視することができる。また、電源断時、前扉３が長時間開いた状況でも、バックアップ電源３４の制御部３０に対する電力供給は、僅かな時間の所定時間Ｔだけであるので、バックアップ電源３４の電力消費を最小限に抑えることができる。この結果、バックアップ電源３４の容量を小さくでき、安価かつ小形のバックアップ電源３４でセキュリティの向上を図ることができる。【００５２】
メモリ３７に記憶されている情報は、遊技機１に電源供給されているとき、前扉３を開けた状態で、異常確認用操作スイッチ１４を操作することによって、表示装置９の表示画面９１に、扉開閉検出センサ６０が検出した前扉３の開閉情報、例えば、図６に示すように、月日、時刻、開または閉を時系列に表示させることができる。【００５３】
前扉３の開閉情報が表示装置９の表示画面９１に表示された遊技機１は、不正が行われたおそれがあるものとして判断され、入念にチェックされるか、または新たな遊技機と交換される。【００５４】
（実施例２）
図７は、本発明における実施例２の制御回路の要部のブロック図、図８は、同じく電源供給制御部のブロック図、図９は、同じく電源供給制御部の一例を示す回路図、図１０は、同じく制御回路の動作タイミングを示すタイムチャート図、図１１は、同じく表示画面に表示される表示例である。【００５５】
副制御基板５は、遊技機１に外部電力が供給されていない場合、扉開閉検出センサ６０が前扉３の開放を検出したとき、すなわち開放信号を受けたときの日時情報、及び遊技機１に外部電力が投入されたときの日時情報等を記憶する。【００５６】
副制御基板５は、制御プログラムおよび各種データを記憶したＲＯＭ５１と、主制御基板４から出力される制御コマンド、外部電源供給装置８が外部電源に接続されたときの外部電源投入信号１０１及び扉開閉検出センサ６０から出力される扉開放信号１０２等をＩ／Ｏポート５４を介して読み込む制御手段をなすＣＰＵ５２と、ＣＰＵ５２をもって、外部電源投入信号１０１を受けたときの日時情報及び扉開放信号１０２を受けたときの日時情報が記憶される記憶手段であるＲＡＭ５３と、外部電力の供給が停止されているとき、ＣＰＵ５２が動作するために必要なバックアップ電力を供給可能なバックアップ電源５５と、バックアップ電力により常時駆動可能な計時手段をなす時計モジュール５６と、ＲＯＭ５１及びＣＰＵ５２に供給する電力源を、外部電力（例えば、電圧３．３Ｖ）またはバックアップ電力（例えば、電圧３Ｖ）のいずれかに切り換えるとともに、バックアップ電力に切り換えた場合に扉開放信号１０２を受けたとき、バックアップ電力をＲＯＭ５１及びＣＰＵ５２に所定時間供給可能とする電源供給制御部５７等を備えている。【００５７】
なお、本実施例２における記憶手段は、バックアップ電源５５の消費電力を押さえるために、動作時のみ電力を必要するＳＲＡＭ（static random access memory）やフラッシュメモリ（flash memory）等の不揮発性の半導体メモリを用いるが、これに代えて、電源遮断時にもバックアップ電源５５により記憶を保持可能なＤＲＡＭ（dynamic random access memory ディーラム（随時書き込み・読み出し可能メモリ））を用いても良い。【００５８】
ＣＰＵ５２は、遊技機１が遊技店に据え付けられる等して、外部電源供給装置８が外部電源に接続されて、遊技機１に外部電力が投入されることにより、そのときの日時をＲＡＭ５３に記憶させることもできる。【００５９】
バックアップ電源５５は、ＲＡＭ５３、時計モジュール５６及び電源供給制御部５７に接続され、外部電力により充電されつつＲＡＭ５３及び時計モジュール５６にバックアップ電力を常時供給している。【００６０】
電源供給制御部５７は、その入力部に扉開放信号１０２、外部電力及びバックアップ電力が入力され、その出力部から遊技店の営業時等、遊技機１の電源供給時、すなわち外部電源供給装置８に外部電源が供給されている期間、外部電力をＲＯＭ５１、ＣＰＵ５２に供給するように切り替わり、また、遊技機１の電源遮断時、すなわち外部電源供給装置８に外部電源が供給されていない期間、例えば、遊技機１を工場から遊技店に搬送する期間や遊技店の営業時間外期間、バックアップ電力をＲＯＭ５１、ＣＰＵ５２に供給するように切り替わる。なお、バックアップ電源５５は、電源供給制御部５７に供給される外部電力より、電圧が僅かに低いものが用いられる。【００６１】
図８に示すように、電源供給制御部５７は、遊技機１に外部電力が供給されていないとき、扉開閉検出センサ６０が出力する扉開放信号１０２を受けることにより、バックアップ電力を、ＣＰＵ５２がドア開放信号を受けたときの日時情報をＲＡＭ５３に記憶させるために必要な所定時間だけ、ＲＯＭ５１及びＣＰＵ５２に供給可能とするバックアップ電源投入制御信号生成部５７１と、ＲＯＭ５１及びＣＰＵ５２に供給する電力源を外部電力又はバックアップ電力のいずれかに切り替える電源切替部５７２とを有している。【００６２】
図９に示すように、電源切替部５７２は、２チャンネルの電源切替ＩＣを内蔵しており、その入力側のＩＮＡには外部電力が入力され、ＩＮＢにはバックアップ電力が入力され、また、ＥＮＢにはバックアップ電源投入信号生成部５７１から出力されるバックアップ電源投入制御信号１０３が入力される。また、ＯＵＴＡ及びＯＵＴＢからは、ＩＮＡ及びＩＮＢに入力されている電力のうち電圧の高い方の電力ＤＣＶ６５として出力される。したがって、電源切替部５７２のＩＮＡに外部電力が供給されている場合には、扉開閉検出センサ６０のＯＮ、ＯＦＦに関係なく、外部電力がＯＵＴＡから出力されて、バックアップ電力がＯＵＴＢから出力されることはない。【００６３】
バックアップ電源投入制御信号生成部５７１は、抵抗Ｒ１とコンデンサＣ１からなるＣＲ回路（チャタリング防止回路）と、両入力端子５７３ａ、５７３ｂが抵抗Ｒ１とコンデンサＣ１の間で、かつ抵抗Ｒ１を介して扉開閉検出センサ６０に接続されるＮＡＮＤゲート５７３と、ＮＡＮＤゲート５７３の出力端子５７３ｃに互いに直列に接続される抵抗Ｒ２とコンデンサＣ２からなり、ＲＯＭ５１及びＣＰＵ５２にバックアップ電力を供給する時間を決定するタイマー手段をなすＣＲ回路（遅延回路）と、両入力端子５７４ａ、５７４ｂが抵抗Ｒ２とコンデンサＣ２の間で、かつ抵抗Ｒ２を介してＮＡＮＤゲート５７３ａの出力端子５７３ｃに接続されるＮＡＮＤゲート５７４と、一方の入力端子５７５ａがＮＡＮＤゲート５７３の出力端子５７３ｃに接続され、他方の入力端子５７５ｂがＮＡＮＤゲート５７４の出力端子５７４ｃに接続され、又、出力端子５７５ｃが電源切替部５７２のＥＮＢに接続されるＮＡＮＤゲート５７５を備えている。【００６４】
次に、図１０に示すタイムチャートを参照しつつ、遊技機１に外部電力が供給されていないときの電源供給制御部５７の制御について説明する。
扉開閉検出センサ６０は、前扉３の閉鎖を検出しているときはＯＦＦしている。したがって、前扉３が閉鎖しているとき、電源供給制御部５７のＣＲ回路Ｒ１、Ｃ１のＡ点の電圧がｈｉｇｈであるため、ＮＡＮＤゲート５７３の両入力端子５７３ａ、５７３ｂにｈｉｇｈ信号が入力されて、出力端子５７３ｃからｌｏｗ信号が出力されている。また、そのときのＣＲ回路Ｒ２、Ｃ２のＢ点の電圧はｌｏｗであるため、ＮＡＮＤゲート５７４の両入力端子５７４ａ、５７４ｂにｌｏｗ信号が入力されて、出力端子５７４ｃからｈｉｇｈ信号が出力されている。これにより、ＮＡＮＤゲート５７５の一方の入力端子５７５ａにｌｏｗ信号が、又、他方の入力端子５７５ｂにｈｉｇｈ信号がそれぞれ入力されているため、ＮＡＮＤゲート５７５の出力端子５７５ｃからは、バックアップ電源投入制御信号１０３としてｈｉｇｈ信号が出力され、その信号が電源切替部５７２のＥＮＢに入力されている。この結果、電源切替部５７２は、遊技機１に外部電力が供給されているか否かに関係なく、ＯＵＴＢからバックアップ電力を出力することはない。【００６５】
また、扉開閉検出センサ６０が、前扉３の開放を検出してＯＮして扉開放信号１０２を出力した場合には、電源供給制御部５７のＣＲ回路Ｃ１、Ｒ１の時定数に基づく時間Ｔ１（例えば、２２ｍｓｅｃ）後に、Ａ点の電圧がｌｏｗになって、ＮＡＮＤゲート５７３の両入力端子５７３ａ、５７３ｂにｌｏｗ信号が入力される。これにより、出力端子５７３ｃからｈｉｇｈ信号が出力され、このｈｉｇｈ信号がＮＡＮＤゲート５７５の一方の入力端子５７５ａに入力される。又、ＮＡＮＤゲート５７４は、出力端子５７３ｃから出力されるｈｉｇｈ信号によりＣＲ回路Ｃ２、Ｒ２のＢ点の電圧がｈｉｇｈに変化するまで、その出力端子５７４ｃからｈｉｇｈ信号を出力し続けて、そのｈｉｇｈ信号をＮＡＮＤゲート５７５の入力端子５７５ｂに入力し続ける。尚、本実施形態においては、図９に示すように、ＮＡＮＤ回路５７３、５７４の入力端子５７３a、５７４aはそれぞれ入力端子５７３b、５７４ｂと接続しているが、入力端子５７３a、５７４aは電源のｈｉｇｈレベル（ＤＣＶ）に接続しても良く、ノイズ等による信号変動に対する安定性のためには、入力端子５７３a、５７４aは共に電源のｈｉｇｈレベル（ＤＣＶ）に接続するのが望ましい。【００６６】
この結果、ＮＡＮＤゲート５７５は、ＮＡＮＤゲート５７３の出力端子５７３ｃがｈｉｇｈ信号を出力してからＮＡＮＤゲート５７４の出力端子５７４ｃがｌｏｗ信号を出力するまでの期間、すなわちＣＲ回路Ｒ２、Ｃ２の時定数に基づく時間Ｔ２（例えば、３３ｍｓｅｃ）だけ、その出力端子５７５ｃからバックアップ電源投入制御信号１０３としてｌｏｗ信号を出力する。【００６７】
電源切替部５７２は、そのＥＮＢにＮＡＮＤゲート５７５の出力端子５７５ｃから出力されるバックアップ電源投入制御信号１０３が入力されることにより、ＯＵＴＢからバックアップ電力を出力してＲＯＭ５１及びＣＰＵ５２に供給する。【００６８】
そして、バックアップ電力をＲＯＭ５１及びＣＰＵ５２に供給してから、時間Ｔ２が経過すると、その時点で、Ｂ点の電圧がｈｉｇｈに変化することにより、ＮＡＮＤゲート５７４の出力ゲート５７４ｃからｌｏｗ信号が出力されたことを契機に、ＮＡＮＤゲート５７５は、その出力端子５７５ｃからｈｉｇｈ信号を出力し、電源切替部５７２は、ＯＵＴＢからバックアップ電力の出力を停止する。【００６９】
ＣＰＵ５２は、電源供給制御部５７からバックアップ電力が供給されたことを契機に駆動して、遊技機１に外部電力が供給されていないときに遊技機１に異常状況が発生したものと見做して、扉開閉検出センサ６０が出力する扉開放信号１０２を受けたときの日時を時計モジュール５６から読み取ってＲＡＭ５３に記憶させて、電源供給制御部５７からバックアップ電力が供給されてから時間Ｔ２経過すると、その時点で、バックアップ電力が停止されてその駆動を停止する。【００７０】
上述により、実施例２においては、遊技機１に外部電力が供給されていない場合、ＣＰＵ５２がバックアップ電源５５の電力を消費する時間は、ＣＰＵ５２がＲＡＭ５３に日時情報を記憶させるたけに必要な僅かな時間Ｔ２だけで足りるため、バックアップ電源５５の消費電力を節約することができ、遊技機１の電源遮断時における前扉３の不正な開放を長時間に亘って監視することができる。また、電源遮断時、前扉３が長時間開いた状況にあっても、ＣＰＵ５２に対するバックアップ電源５５の電力供給は、時間Ｔ２だけであるため、バックアップ電源５５の消費電力を最小限に抑えることができる。この結果、バックアップ電源５５の容量を小さくでき、安価かつ小形のバックアップ電源５５でセキュリティの向上を図ることができる。【００７１】
ＣＰＵ５２によりＲＡＭ５３に記憶された情報、すなわち遊技機１に外部電力が投入されたときの日時、扉開閉検出センサ６０が前扉３の開放を検出したときの日時は、遊技機１に外部電力が供給されているとき、前扉３を開いて異常確認用操作スイッチ１４を操作することによって、表示装置９の表示画面９１に、例えば、図１１に示すように時系列に表示させることができる。【００７２】
図１１に示すように、外部電源投入日前に前扉３の開放情報が表示装置９の表示画面９１に表示された遊技機１は、不正が行われたおそれがあるものとして判断され、入念にチェックされるか、または新たな遊技機と交換される。【００７３】
（実施例３）
図１２は、本発明における実施例３の制御回路の要部のブロック図、図１３は、同じく電源供給制御部のブロック図、図１４は、同じく電源供給制御部の一例を示す回路図、図１５は、同じく制御回路の動作タイミングを示すタイムチャート図、図１６は、同じく表示画面に表示される表示例である。【００７４】
副制御基板５は、扉開閉検出センサ６０からの開閉信号を受けたときの開閉情報、及び遊技機１に外部電力が投入されたときの日時情報を記憶する。なお、開閉情報としては、扉開閉検出スイッチ６０が前扉３の開閉を検出したときの日時情報、及びそのときの電力源を識別する後述の電力供給源識別情報を含む。【００７５】
図１２に示すように、副制御基板５には、制御プログラム及び各種データを記憶したＲＯＭ５１と、主制御基板４から出力される制御コマンド、外部電源供給装置８が外部電源に接続されたときの外部電源投入信号１０１及び扉開閉検出センサ６０から出力される開閉信号１０２等をＩ／Ｏポート５４を介して読み込む制御手段をなすＣＰＵ５２と、ＣＰＵ５２により各種情報が記憶される記憶手段をなすＲＡＭ５３と、外部電力（例えば、電圧３．３Ｖ）の供給が停止されているとき（外部電源供給装置８が外部電源に接続されていないか、又は外部電源供給装置８がＯＦＦしているとき）、ＣＰＵ５２が動作するために必要なバックアップ電力（例えば、電圧３Ｖ）を供給可能な充電式のバックアップ電源５５と、外部電力又はバックアップ電力により常時駆動可能な計時手段をなす時計モジュール５６と、ＲＯＭ５１、ＣＰＵ５２、ＲＡＭ５３及び時計モジュール５６に供給する電力を制御する電源供給制御部５０等が実装されている。【００７６】
ＣＰＵ５２は、遊技機１に外部電力が供給されていないとき、例えば、遊技機１を生産工場から遊技店に搬送する期間や遊技店の営業時間外の期間、扉開閉検出センサ６０から開閉信号１０２が出力されると、電源供給制御部５０のＣＰＵ電源供給制御部５００から出力されるバックアップ電力によって、それまで停止していたものが起動して、開閉信号１０２ａを受けたときの日時情報及びそのときの電力供給源がバックアップ電力である旨の電力供給情報をＲＡＭ５３に記憶させる。また、遊技機１が遊技店に据え付けられる等して、外部電源供給装置８が外部電源に接続されて、遊技機１に外部電力が投入されることにより、ＣＰＵ５２は、主制御基板４から送信される外部電源投入信号１０１に基づいて外部電源が投入されたときの日時情報をＲＡＭ５３に記憶させる。さらに、遊技機１に外部電力が供給されている期間、例えば、遊技店の営業時間内、ＣＰＵ５２は、ＣＰＵ電源供給制御部５００から出力される外部電力により駆動しており、扉開閉検出センサ６０からの開閉信号１０２ａを受けると、そのときの開閉信号１０２ａを受けたときの日時情報及びそのときの電力供給源が外部電力であることを識別する電力供給情報をＲＡＭ５３に記憶させる。【００７７】
ＲＡＭ５３に記憶された情報の開閉信号１０２ａを受けたときの日時情報、電力供給源を識別する電力供給情報及び外部電源が投入されたときの日時情報は、開、閉日時情報２０１、２０２、電力供給源識別情報２０４及び外部電源投入日時情報２０３として、図１６に示すように、表示装置９の表示画面９１に表示させることができる。【００７８】
電源供給制御部５０は、ＲＯＭ５１、ＣＰＵ５２に供給する電力を制御するＣＰＵ電源供給制御部５００と、ＲＡＭ５３及び時計モジュール５６に供給する電力を制御するＲＡＭ電源供給制御部５５０を含んでいる。【００７９】
図１３に示すように、ＣＰＵ電源供給制御部５００は、扉開閉検出センサ６０から出力される開閉信号１０２ａを信号処理する信号処理部５１０と、開閉信号１０２ａに基づいてバックアップ電力を出力させるためのバックアップ電源供給制御信号１０３を生成するバックアップ電源投入制御信号生成部５２０と、ＲＯＭ５１及びＣＰＵ５２に供給するＤＣＶ６５を外部電力又はバックアップ電力に切替可能なＣＰＵ電源切替部５３０とを有している。【００８０】
ＲＡＭ電源供給制御部５５０は、ＲＡＭ５３及び時計モジュール５６に供給する電力源を外部電力又はバックアップ電力に切替可能なＲＡＭ電源切替部５６０を含んでいる。【００８１】
図１４に示すように、ＣＰＵ電源供給制御部５００の信号処理部５１０は、扉開閉検出センサ６０に直列に接続される抵抗Ｒ１とコンデンサＣ１からなるＣＲ回路により形成され、扉開閉検出センサ６０から出力される開閉信号のチャタリングを防止する。【００８２】
バックアップ電源投入制御信号生成部５２０は、両入力端子５２１ａ、５２１ｂが抵抗Ｒ１とコンデンサＣ１の間で、かつ抵抗Ｒ１を介して扉開閉検出センサ６０に接続されるＮＡＮＤゲート５２１と、ＮＡＮＤゲート５２１の出力端子５２１ｃに互いに直列に接続される抵抗Ｒ２とコンデンサＣ２からなり、ＲＯＭ５１及びＣＰＵ５２にバックアップ電力を供給する時間を決定するタイマー手段をなすＣＲ回路（遅延回路）と、両入力端子５２２ａ、５２２ｂが抵抗Ｒ２とコンデンサＣ２の間で、かつ抵抗Ｒ２を介してＮＡＮＤゲート５２１ａの出力端子５２１ｃに接続されるＮＡＮＤゲート５２２と、一方の入力端子５２３ａがＮＡＮＤゲート５２１の出力端子５２１ｃに接続され、他方の入力端子５２３ｂがＮＡＮＤゲート５２２の出力端子５２２ｃに接続されるＮＡＮＤゲート５２３と、一方の入力端子５２４ａがＮＡＮＤゲート５２１の出力端子５２１ｃに接続され、他方の入力端子５２４ｂがＮＡＮＤゲート５２２の出力端子５２２ｃに接続されるＯＲゲート５２４と、一方の入力端子５２５ａがＯＲゲート５２４の出力端子５２４ｃに接続され、他方の入力端子５２５ｂがＮＡＮＤゲート５２３の出力端子５２３ｃに接続され、さらに出力端子５２５ｃがＣＰＵ電源切替部５３０のＥＮＢに接続されるＡＮＤゲート５２５を備えている。【００８３】
ＡＮＤゲート５２５は、入力端子５２５ａ、５２５ｂの少なくともいずれか一方にｌｏｗ信号が入力されたとき、出力端子５２５ｃからｌｏｗ信号のバックアップ電源供給制御信号１０３を、ＣＰＵ５２がＲＡＭ５３に開閉情報を記憶させるために必要な所定時間だけ出力する。【００８４】
ＣＰＵ電源切替部５３０は、２チャンネルの電源切替ＩＣを内蔵しており、その入力側のＩＮＡには外部電力が入力され、ＩＮＢにはバックアップ電力が入力され、又、ＥＮＢにはバックアップ電源投入制御信号生成部５２０のＡＮＤゲート５２５から出力されるバックアップ電源供給制御信号１０３が入力される。遊技機１に外部電力が供給されている場合、すなわちＩＮＡに外部電力が入力されている場合には、バックアップ電源供給制御信号１０３がＥＮＢに入力されたか否かに関係なく、ＯＵＴＡから外部電力を出力する。また、遊技機１に外部電力が供給されていないとき、すなわちＩＮＡに外部電力が入力されていないときには、ＥＮＢにバックアップ電源供給制御信号１０３が入力されている期間だけ、ＯＵＴＢからＣＰＵ５２がＲＡＭ５３に開閉情報を記憶させるために必要な所定時間だけバックアップ電力を出力する。又、ＣＰＵ電源切替部５３０のＩＮＡに外部電力が入力され、ＩＮＢにバックアップ電力が入力された場合には、ＩＮＡ及びＩＮＢに入力された電力のうち電圧の高い方の電力がＯＵＴＡ又はＯＵＴＢからＤＣＶ６５として出力される。なお、本発明の実施例３においては、外部電力を電圧３.３Ｖとし、バックアップ電力を電圧３Ｖとしてあるため、ＩＮＡ及びＩＮＢにそれぞれの電力が供給された場合には、ＯＵＴＡから外部電力が供給され、バックアップ電力は出力されない。【００８５】
ＲＡＭ電源切替部５６０は、ＣＰＵ電源切替部５３０と同様に２チャンネルの電源切替ＩＣを内蔵しており、その入力側のＩＮＡには外部電力が入力され、又、ＩＮＢにはバックアップ電力が入力されて、ＩＮＡ及びＩＮＢにそれぞれの電力が入力されている場合には、ＯＵＴＡから外部電力を出力する。又、遊技機１に外部電力が供給されていないときは、ＯＵＴＢからバックアップ電力を出力し、又、ＩＮＡに外部電力が入力されると、バックアップ電力の出力を停止して、ＯＵＴＡから外部電力を出力して、バックアップ電源５５の電力消費を抑える。【００８６】
なお、遊技機１に外部電力が供給されている場合、バックアップ電源５５は、外部電源により充電される。【００８７】
次に、図１５に示すタイムチャートを参照しつつ、遊技機１に外部電力が供給されていないときの電源供給制御部５０におけるＣＰＵ電源供給制御部５００の制御について説明する。
扉開閉検出センサ６０は、前扉３の閉鎖を検出しているときＯＦＦしている。したがって、前扉３が閉鎖しているとき、ＣＰＵ電源供給制御部５００のＣＲ回路Ｒ１、Ｃ１のＡ点の電圧がｈｉｇｈであるため、ＮＡＮＤゲート５２１の両入力端子５２１ａ、５２１ｂにｈｉｇｈ信号が入力されて、出力端子５２１ｃからｌｏｗ信号が出力されている。このとき、ＣＲ回路Ｒ２、Ｃ２のＢ点の電圧がｌｏｗであるため、ＮＡＮＤゲート５２２の両入力端子５２２ａ、５２２ｂにｌｏｗ信号が入力され、その出力端子５２２ｃからｈｉｇｈ信号が出力されている。【００８８】
ＮＡＮＤゲート５２２の出力端子５２２ｃからｈｉｇｈ信号が出力されているときは、ＮＡＮＤゲート５２３は、その入力端子５２３ａにＮＡＮＤゲート５２１の出力端子５２１ｃから出力されているｌｏｗ信号、入力端子５２３ｂにＮＡＮＤゲート５２２の出力端子５２２ｃから出力されているｈｉｇｈ信号がそれぞれ入力されているため、その出力端子５２３ｃからｈｉｇｈ信号を出力している。又、ＯＲ回路５２４は、その入力端子５２４ａにＮＡＮＤゲート５２１の出力端子５２１ｃから出力されているｌｏｗ信号、入力端子５２４ｂにＮＡＮＤゲート５２２の出力端子５２２ｃから出力されているｈｉｇｈ信号がそれぞれ入力されているため、その出力端子５２４ｃからｈｉｇｈ信号を出力している。【００８９】
これにより、ＡＮＤ回路５２５は、その両入力端子５２５ａ、５２５ｂにｈｉｇｈ信号が入力されて、その出力端子５２５ｃからバックアップ電源投入制御信号１０３ではないｈｉｇｈ信号を出力し、その信号がＣＰＵ電源切替部５３０のＥＮＢに入力されている。この結果、ＣＰＵ電源切替部５３０は、遊技機１に外部電力が供給されているか否かに関係なく、ＯＵＴＢからバックアップ電力を出力することはない。【００９０】
扉開閉検出センサ６０が前扉３の開放を検出して開信号１０２を出力すると、その時点（図１５に示すａ点）で、ＣＲ回路Ｃ１、Ｒ１の時定数に基づく時間Ｔ１（例えば、２２ｍｓｅｃ）後に、Ａ点の電圧がｌｏｗになる。このため、ＮＡＮＤゲート５２１は、時間Ｔ１経過した時点（図１５に示すｂ点）で、両入力端子５２１ａ、５２１ｂにｌｏｗ信号が入力されて、出力端子５２１ｃからｈｉｇｈ信号を出力する。出力端子５２１ｃからｈｉｇｈ信号が出力されると、ＮＡＮＤゲート５２２は、ＣＲ回路Ｃ２、Ｒ２のＢ点の電圧が時間Ｔ２（例えば、３３ｍｓｅｃ）経過してｈｉｇｈに変化するまで、その出力端子５２２ｃからｈｉｇｈ信号の出力を継続する。そして、ＮＡＮＤゲート５２３は、ＮＡＮＤゲート５２１の出力端子５２１ｃからｈｉｇｈ信号が出力された時点で、その出力端子５２３ｃからｌｏｗ信号を出力する。【００９１】
ＮＡＮＤゲート５２３の出力端子５２３ｃからｌｏｗ信号が出力されると、ＡＮＤゲート５２５は、その入力端子５２５ａにｈｉｇｈ信号、入力端子５２５ｂにｌｏｗ信号がそれぞれ入力されて、出力端子５２５ｃからバックアップ電源投入制御信号１０３をなすｌｏｗ信号を出力し、その信号をＣＰＵ電源切替部５３０のＥＮＢに入力する。これにより、ＣＰＵ電源切替部５３０は、ＯＵＴＢからバックアップ電力を出力する。【００９２】
そして、ＣＰＵ電源切替部５３０のＯＵＴＢからバックアップ電力を出力してから、時間Ｔ２が経過すると、その時点（図１５に示すｃ点）で、ＣＲ回路Ｒ２，Ｃ２のＢ点の電圧がｈｉｇｈになるため、ＮＡＮＤゲート５２２は、その両入力端子５２２ａ、５２２ｂにｈｉｇｈ信号が入力されて、出力端子５２２ｃからｌｏｗ信号を出力する。これにより、ＮＡＮＤゲート５２３は、その入力端子５２３ｂにｌｏｗ信号が入力されて、出力端子５２３ｃからｈｉｇｈ信号を出力する。【００９３】
ＮＡＮＤゲート５２３の出力端子５２３ｃからｈｉｇｈ信号が出力されると、ＡＮＤゲート５２５は、その入力端子５２５ａ、５２５ｂにｈｉｇｈ信号がそれぞれ入力されて、出力端子５２５ｃからｈｉｇｈ信号を出力する。これを契機に、ＣＰＵ電源切替部５３０は、ＯＵＴＢからのバックアップ電力の出力を停止する。【００９４】
ＣＰＵ５２は、ＣＰＵ電源供給制御部５００のＣＰＵ電源切替部５３０からバックアップ電力が供給されたことを契機に起動して、遊技機１に外部電力が供給されていないときに遊技機１に異常状況が発生したものと見做して、扉開閉検出センサ６０から出力された開閉信号１０１ａのうち開信号を受けたときの日時を時計モジュール５６から読み取ってＲＡＭ５３に記憶させるとともに、そのときの電力源がバックアップ電力である旨の電力供給源情報もＲＡＭ５３に記憶させ、時間Ｔ２経過後に停止する。【００９５】
なお、遊技機１に外部電力が供給されていないとき、ＣＰＵ５２に供給されるバックアップ電力は、前扉３が開放している時間に関係なく、ＣＰＵ５２がＲＡＭ５１に前扉３の開閉情報を記憶させるだけに必要な時間Ｔ２だけであるので、前扉３が長時間、開放された状況にあっても、バックアップ電源５５の電力が無駄に消費されることはない。【００９６】
続いて、前扉３が開放状況から閉じられると、その時点（図１５に示すｄ点）で、扉開閉検出センサ６０がＯＮからＯＦＦに切り替わって開閉信号１０２ａのうち閉信号を出力すると、ＣＲ回路Ｃ１、Ｒ１の時定数に基づく時間Ｔ１後に、Ａ点の電圧がｈｉｇｈになる。このため、ＮＡＮＤゲート５２１は、時間Ｔ１経過した時点（図１５に示すｅ点）で、両入力端子５２１ａ、５２１ｂにｈｉｇｈ信号が入力されて、出力端子５２１ｃからｌｏｗ信号を出力する。出力端子５２１ｃからｌｏｗ信号が出力されると、ＮＡＮＤゲート５２２は、ＣＲ回路Ｃ２、Ｒ２のＢ点の電圧が時間Ｔ２経過してｌｏｗに変化するまでの期間、その出力端子５２２ｃからｌｏｗ信号の出力を継続する。そして、ＯＲゲート５２４は、ＮＡＮＤゲート５２１の出力端子５２１ｃからｌｏｗ信号が出力された時点で、その出力端子５２４ｃからｌｏｗ信号を出力する。【００９７】
ＯＲゲート５２４の出力端子５２４ｃからｌｏｗ信号が出力されると、ＡＮＤゲート５２５は、その入力端子５２５ａにｌｏｗ信号、入力端子５２５ｂにｈｉｇｈ信号がそれぞれ入力されて、出力端子５２５ｃからバックアップ電源投入制御信号１０３をなすｌｏｗ信号を出力し、その信号をＣＰＵ電源切替部５３０のＥＮＢに入力する。これにより、ＣＰＵ電源切替部５３０は、ＯＵＴＢからバックアップ電力を出力する。【００９８】
そして、ＣＰＵ電源切替部５３０のＯＵＴＢからバックアップ電力を出力してから、時間Ｔ２が経過すると、その時点（図１５に示すｆ点）で、ＣＲ回路Ｒ２，Ｃ２のＢ点の電圧がｌｏｗになるため、ＮＡＮＤゲート５２２は、その両入力端子５２２ａ、５２２ｂにｌｏｗ信号が入力されて、出力端子５２２ｃからｈｉｇｈ信号を出力する。これにより、ＯＲゲート５２４は、その入力端子５２４ｂにｈｉｇｈ信号が入力されて、出力端子５２４ｃからｈｉｇｈ信号を出力する。【００９９】
ＯＲゲート５２４の出力端子５２４ｃからｈｉｇｈ信号が出力されると、ＡＮＤゲート５２５は、その入力端子５２５ａ、５２５ｂにｈｉｇｈ信号がそれぞれ入力されて、出力端子５２５ｃからｈｉｇｈ信号を出力する。これを契機に、ＣＰＵ電源切替部５３０は、ＯＵＴＢからのバックアップ電力の出力を停止する。【０１００】
ＣＰＵ５２は、ＣＰＵ電源供給制御部５００のＣＰＵ電源切替部５３０からバックアップ電力が供給されたことを契機に再び起動して、遊技機１に外部電力が供給されていないときに遊技機１に異常状況が発生したものと見做して、扉開閉検出センサ６０から出力された開閉信号１０２ａのうち閉信号を受けたときの日時を時計モジュール５６から読み取ってＲＡＭ５３に記憶させるとともに、そのときの電力源がバックアップ電力である旨の電力供給源情報もＲＡＭ５３に記憶させ、時間Ｔ２経過後に停止する。【０１０１】
次に、ＲＡＭ５３に記憶された開閉情報の確認方法について説明する。遊技機１に外部電力が供給されているとき、前扉３を開いて異常確認用操作スイッチ１４を操作することにより、副制御基板５のＣＰＵ５２によりＲＡＭ５３に記憶された情報、例えば、前扉３が開放されたときの開日時情報２０１、前扉３が閉じられたときの閉日時情報２０２、遊技機１に外部電力が投入されたときの外部電源投入日時情報２０３、及び前扉３が開閉されたとき、ＣＰＵ５２に供給された電力が外部電力かバックアップ電力かを識別する電力供給源識別情報２０４を、表示装置９の表示画面９１に、例えば、図１６に示すように時系列に表示させて前扉３の開閉情報等を確認することができる。【０１０２】
例えば、図１６に示すように、外部電源投入日前に前扉３の開閉情報が表示装置９の表示画面９１に表示された遊技機１は、不正が行われたおそれがあるものとして判断され、入念にチェックされるか、又は新たな遊技機と交換される。【０１０３】
以上、本発明の各実施例について説明したが、本発明の要旨を逸脱しない範囲内で、各実施例に対して、次のような種々の変形や変更を施すことが可能である。
（ｉ）遊技機１を、遊技媒体がメダル（コインを含む）とするスロットマシンに代えて、遊技媒体がパチンコ玉であるパチンコ機、スロットマシン、及びその他の遊技機とする。
（ii）扉開閉検出センサ６０を、機械式のリミットスイッチに代えて、バックアップ電源５５の電力により作動する光電式等の非接触形のセンサとする。
（iii）検出センサを、前扉３の開閉を検出する扉開閉検出センサ６０に代えて、またはそれに加えて、他の異常状況を検出するものとする。他の異常状況としては、主制御基板４を収容した基板ボックスの脱着、遊技機１の移動等により生じる遊技機１の異常な傾きや振動、及び筐体２内への不正用具の挿入等による異常な圧力負荷の検出等がある。
（iv）異常情報を表示させる表示装置としては、上記実施形態のように、前扉３の前面に異常情報を表示させる表示装置９に代えて、前扉３の裏面又は筐体２内に、異常情報表示専用の表示装置を別に設ける。
【図１】
2007122935.tif 000003
【図２】
2007122935.tif 000004
【図３】
2007122935.tif 000005
【図４】
2007122935.tif 000006
【図５】
2007122935.tif 000007
【図６】
2007122935.tif 000008
【図７】
2007122935.tif 000009
【図８】
2007122935.tif 000010
【図９】
2007122935.tif 000011
【図１０】
2007122935.tif 000012
【図１１】
2007122935.tif 000013
【図１２】
2007122935.tif 000014
【図１３】
2007122935.tif 000015
【図１４】
2007122935.tif 000016
【図１５】
2007122935.tif 000017
【図１６】
2007122935.tif 000018
【手続補正書】
【提出日】平成20年1月23日(2008.1.23)
【手続補正１】
【補正対象書類名】特許請求の範囲
【補正対象項目名】請求項１
【補正方法】変更
【補正の内容】
【請求項１】
遊技機に対する不正行為を含む異常状況を検出する検出センサと、
前記遊技機内に設けられ、かつ前記遊技機に対する外部からの電力供給が停止されているときに前記検出センサからの検出信号に基づいて前記遊技機内に設けられたバックアップ電源より所定時間電力の供給を行なう電源供給制御手段と、
前記遊技機内に設けられ、前記電源供給制御手段の制御により前記バックアップ電源から電力の供給を受けている前記所定時間の間作動し、前記所定時間内に前記検出センサの検出信号出力時における情報を前記遊技機内に設けられた記憶手段に記憶させ、前記所定時間の経過後前記作動を停止する制御手段と、
を備えたことを特徴とする遊技機。
【手続補正２】
【補正対象書類名】特許請求の範囲
【補正対象項目名】請求項２
【補正方法】変更
【補正の内容】
【請求項２】
遊技者が所定の遊技を行うことが可能な遊技機の機体内に設けられ、前記遊技機に対し外部から電力供給が停止されているときに、前記遊技機内の所定の部位に限定して電力を供給するバックアップ電源と、
前記バックアップ電源からの電力供給を受けて作動し、不正行為を含む異常状況を検出する検出センサと、
前記バックアップ電源からの電力供給を受けて作動して計時する計時手段と、
前記遊技機内に設けられ、前記検出センサが前記異常状況を検出したときに前記計時手段が計時した時刻における情報を前記バックアップ電源からの電力供給を受けて作動して記憶する記憶手段と、
前記遊技機内に設けられ、前記記憶手段に対して前記検出センサの前記異常状況の検出に基づいて前記バックアップ電源から所定時間電力供給を行なう電源供給制御手段と、
前記遊技機内に設けられ、前記電源供給制御手段の制御により前記バックアップ電源から電力の供給を受けている前記所定時間の間作動し、前記所定時間内に前記検出センサが前記異常状況を検出した時刻における情報を前記記憶手段に記憶させ、前記所定時間の経過後前記作動を停止する制御手段と、
を備えたことを特徴とする遊技機。
【手続補正３】
【補正対象書類名】明細書
【補正対象項目名】０００２
【補正方法】変更
【補正の内容】
【０００２】
（１）遊技機に対する不正行為を含む異常状況を検出する検出センサと、前記遊技機内に設けられ、かつ前記遊技機に対する外部からの電力供給が停止されているときに前記検出センサからの検出信号に基づいて前記遊技機内に設けられたバックアップ電源より所定時間電力の供給を行なう電源供給制御手段と、前記遊技機内に設けられ、前記電源供給制御手段の制御により前記バックアップ電源から電力の供給を受けている前記所定時間の間作動し、前記所定時間内に前記検出センサの検出信号出力時における情報を前記遊技機内に設けられた記憶手段に記憶させ、前記所定時間の経過後前記作動を停止する制御手段とを備える。
［０００７］
（２）遊技者が所定の遊技を行うことが可能な遊技機の機体内に設けられ、前記遊技機に対し外部から電力供給が停止されているときに、前記遊技機内の所定の部位に限定して電力を供給するバックアップ電源と、前記バックアップ電源からの電力供給を受けて作動し、不正行為を含む異常状況を検出する検出センサと、前記バックアップ電源からの電力供給を受けて作動して計時する計時手段と、前記遊技機内に設けられ、前記検出センサが前記異常状況を検出したときに前記計時手段が計時した時刻における情報を前記バックアップ電源からの電力供給を受けて作動して記憶する記憶手段と、前記遊技機内に設けられ、前記記憶手段に対して前記検出センサの前記異常状況の検出に基づいて前記バックアップ電源から所定時間電力供給を行なう電源供給制御手段と、前記遊技機内に設けられ、前記電源供給制御手段の制御により前記バックアップ電源から電力の供給を受けている前記所定時間の間作動し、前記所定時間内に前記検出センサが前記異常状況を検出した時刻における情報を前記記憶手段に記憶させ、前記所定時間の経過後前記作動を停止する制御手段とを備える。
［０００８］
（３）上記（１）又は（２）項において、前記検出センサが前記異常状況を検出した時点から予め定められた所定時間作動して、前記制御手段に前記バックアップ電源からの電力を供給し、前記所定時間内に前記制御手段を作動させて前記検出センサが前記異常状況を検出した時刻を前記記憶手段に記憶させるタイマー手段を更に備える。
［０００９］
（４）上記（１）〜（３）項において、前記記憶制手段が記憶する情報には、前記検出センサが異常状況を検出したときの日時情報を含む。
［００１０］
（５）上記（１）〜（４）項のいずれかにおいて、前記検出センサは、前記遊技機に対し外部から電力供給が停止されているとき、電気部品を収容した筐体に開閉可能に設けられる扉の開閉を検出する扉開閉検出センサを含む。
［００１１］
（６）上記（５）項において、前記制御手段は、前記検出センサが前記扉の開閉を検出したときの日時情報を前記記憶手段に記憶させる。
【手続補正４】
【補正対象書類名】明細書
【補正対象項目名】０００７
【補正方法】変更
【補正の内容】
【０００７】
５５０  ＲＡＭ電源供給制御部
５６０  ＲＡＭ電源切替部
５７１  バックアップ電源投入制御信号生成部
５７２  電源切替部
５７３、５７４、５７５  ＮＡＮＤゲート
Ｒ１、Ｒ２  抵抗（タイマー手段）
Ｃ１、Ｃ２  コンデンサ（タイマー手段）
発明を実施するための最良の形態
［００２０］
図１は、本発明の実施形態を適用した遊技機（スロットマシン）の斜視図、図２は、前扉を開けた状態の遊技機の斜視図、図３は、制御回路の一例を示すブロック図、図４〜図６は、実施例１を示し、図７〜図１１は、実施例２を示し、図１２〜図１６は、実施例３を示す。なお、図１〜図３は、実施例１〜３共通である。また、以下の説明においては、図１、２における左斜め下方を「前方」とし、図１、２における右斜め上方を「後方」とする。
［００２１］
遊技機１としてのスロットマシンは、前面が開放した正面視矩形の筐体２と、筐体２の左側部に上下方向を向く上下１対のヒンジ軸（図示略）により開閉可能に枢支された前扉３とを備える。
［００２２］
図２に示すように、筐体２内には、遊技を統括的に制御する主制御基板４、遊技に係わる演出の制御及び前扉３の開情報を含む異常情報等を出力可能な副制御基板５、複数種類の図柄、数字等で構成される識別情報を変動表示及び停止表示可能な回転リールユニット６、遊技媒体であるメダルを貯留及び払出可能なホッパーユニット７、遊技機１の各種電気部品に外部電源の電力を供給する外部電源供給装置８等の遊技に係わる電気部品が収容されている。なお、各電気部品に対する外部電源供給装置８からの外部電力の供給は、主制御基板４を経由して行われる。
［００２３］
筐体２における前扉３に対向する箇所には、検出センサをなす前扉３の開閉を検出可能な扉開閉検出センサ６０が配設されている。扉開閉検出センサ６０が検出した前扉３の開放信号は、副制御基板５に送信される。なお、前扉３の開閉を検出する扉開閉検出センサ６０は、機械的な作動で電気回路を開閉する機能をもつ機械式のリミッ
【手続補正５】
【補正対象書類名】明細書
【補正対象項目名】００１１
【補正方法】変更
【補正の内容】
【００１１】
ワークエリアとして機能するＲＡＭ３３と共に一体型のワンチップＣＰＵとして構成される制御手段をなす制御部３０と、所定の部位に限定して電力を供給するバックアップ電源３４と、タイマー手段をなすタイマー回路部３５と、検出センサ６０が前扉３の開閉を検出した時刻を計時する計時手段をなす時計モジュール３６と、前扉３の開閉状態を記憶するための記憶手段をなすメモリ３７等が設けられている。なお、実施例１におけるメモリ３７は、バックアップ電源３４の消費電力を押さえるために、記憶保持のための動作を必要としないＳＲＡＭ（ｓｔａｔｉｃ  ｒａｎｄｏｍ  ａｃｃｅｓｓ  ｍｅｍｏｒｙ）や動作時のみ電力を必要するフラッシュメモリ（ｆｌａｓｈ  ｍｅｍｏｒｙ）等の不揮発性の半導体メモリを用いるのが好ましい。また、メモリ３７は、ＣＰＵ３１内のＲＡＭ３３に設けても良い。
［００４４］
バックアップ電源３４の電力は、制御部３０、タイマー回路部３５、時計モジュール３６、メモリ３７及び扉開閉検出センサ６０の部位に限定して電力を供給する。
［００４５］
タイマー回路部３５、時計モジュール３６、メモリ３７及び扉開閉検出センサ６０に対しては、遊技機１の電源断時、例えば、遊技機１を工場から遊技店に搬送するまでの期間や遊技店の営業時間外、バックアップ電源３４の電力が常時供給され、また、制御部３０に対しては、タイマー回路部３５が計時動作したときのみ、バックアップ電源３４の電力が供給されるようになっている。
［００４６］
実施例１における電源供給制御手段をなすタイマー回路部３５は、マルチバイブレータ素子３５ａとＣＲ回路３５ｂとにより構成され、遊技機１の電源断時、扉開閉検出センサ６０が前扉３の開閉を検出したことを契機に、バックアップ電源３４の電力により予め定めた所定時間Ｔ計時動作して、制御部３０にバックアップ電源３４の電力を供給させる。
［００４７］
具体的には、図５に示すように、扉開閉検出センサ６０が前扉３の開を検出して、その開信号（例えば、ＨＩＧＨ信号）がタイマー回路部３５に入力されると、これを契機に、タイマー回路部３５は、バックアップ電源３４により、予め定めた所定時間Ｔ（数ｍｓｅｃ）計時動作し、この所定時間Ｔ内にバックアップ電源３４の電力を制御部３０に供給して制御部３０を作動させ、所定時間Ｔ経過すると、計時動作を終了して制御部３０に対してバックアップ電源３４の電力供給を停止させる。なお、所定時間Ｔは、制御部３０がメモリ３７に情報を記憶させるために必要な時間に基いて設定される。
［００４８］
制御部３０は、バックアップ電源３４の電力が供給されたことを契機に、自体が起動
【手続補正６】
【補正対象書類名】明細書
【補正対象項目名】００１３
【補正方法】変更
【補正の内容】
【００１３】
［００５５］
副制御基板５は、遊技機１に外部電力が供給されていない場合、扉開閉検出センサ６０が前扉３の開放を検出したとき、すなわち開放信号を受けたときの日時情報、及び遊技機１に外部電力が投入されたときの日時情報等を記憶する。
［００５６］
副制御基板５は、制御プログラムおよび各種データを記憶したＲＯＭ５１と、主制御基板４から出力される制御コマンド、外部電源供給装置８が外部電源に接続されたときの外部電源投入信号１０１及び扉開閉検出センサ６０から出力される扉開放信号１０２等をＩ／Ｏポート５４を介して読み込む制御手段をなすＣＰＵ５２と、ＣＰＵ５２をもって、外部電源投入信号１０１を受けたときの日時情報及び扉開放信号１０２を受けたときの日時情報が記憶される記憶手段であるＲＡＭ５３と、外部電力の供給が停止されているとき、ＣＰＵ５２が動作するために必要なバックアップ電力を供給可能なバックアップ電源５５と、バックアップ電力により常時駆動可能な計時手段をなす時計モジュール５６と、ＲＯＭ５１及びＣＰＵ５２に供給する電力源を、外部電力（例えば、電圧３．３Ｖ）またはバックアップ電力（例えば、電圧３Ｖ）のいずれかに切り換えるとともに、バックアップ電力に切り換えた場合に扉開放信号１０２を受けたとき、バックアップ電力をＲＯＭ５１及びＣＰＵ５２に所定時間供給可能とする電源供給制御部５７等を備えている。
［００５７］
なお、本実施例２における記憶手段は、バックアップ電源５５の消費電力を押さえるために、動作時のみ電力を必要するＳＲＡＭ（ｓｔａｔｉｃ  ｒａｎｄｏｍ  ａｃｃｅｓｓ  ｍｅｍｏｒｙ）やフラッシュメモリ（ｆｌａｓｈ  ｍｅｍｏｒｙ）等の不揮発性の半導体メモリを用いるが、これに代えて、電源遮断時にもバックアップ電源５５により記憶を保持可能なＤＲＡＭ（ｄｙｎａｍｉｃ  ｒａｎｄｏｍ  ａｃｃｅｓｓ  ｍｅｍｏｒｙ  ディーラム（随時書き込み・読み出し可能メモリ））を用いても良い。
［００５８］
ＣＰＵ５２は、遊技機１が遊技店に据え付けられる等して、外部電源供給装置８が外部電源に接続されて、遊技機１に外部電力が投入されることにより、そのときの日時をＲＡＭ５３に記憶させることもできる。
［００５９］
バックアップ電源５５は、ＲＡＭ５３、時計モジュール５６及び電源供給制御部５７に接続され、外部電力により充電されつつＲＡＭ５３及び時計モジュール５６にバックアップ電力を常時供給している。
［００６０］
実施例２における電源供給制御手段をなす電源供給制御部５７は、その入力部に扉開放信号１０２、外部電力及びバックアップ
【手続補正７】
【補正対象書類名】明細書
【補正対象項目名】００１８
【補正方法】変更
【補正の内容】
【００１８】
するために必要なバックアップ電力（例えば、電圧３Ｖ）を供給可能な充電式のバックアップ電源５５と、外部電力又はバックアップ電力により常時駆動可能な計時手段をなす時計モジュール５６と、ＲＯＭ５１、ＣＰＵ５２、ＲＡＭ５３及び時計モジュール５６に供給する電力を制御する電源供給制御部５０等が実装されている。
［００７６］
ＣＰＵ５２は、遊技機１に外部電力が供給されていないとき、例えば、遊技機１を生産工場から遊技店に搬送する期間や遊技店の営業時間外の期間、扉開閉検出センサ６０から開閉信号１０２が出力されると、電源供給制御部５０のＣＰＵ電源供給制御部５００から出力されるバックアップ電力によって、それまで停止していたものが起動して、開閉信号１０２ａを受けたときの日時情報及びそのときの電力供給源がバックアップ電力である旨の電力供給情報をＲＡＭ５３に記憶させる。また、遊技機１が遊技店に据え付けられる等して、外部電源供給装置８が外部電源に接続されて、遊技機１に外部電力が投入されることにより、ＣＰＵ５２は、主制御基板４から送信される外部電源投入信号１０１に基づいて外部電源が投入されたときの日時情報をＲＡＭ５３に記憶させる。さらに、遊技機１に外部電力が供給されている期間、例えば、遊技店の営業時間内、ＣＰＵ５２は、ＣＰＵ電源供給制御部５００から出力される外部電力により駆動しており、扉開閉検出センサ６０からの開閉信号１０２ａを受けると、そのときの開閉信号１０２ａを受けたときの日時情報及びそのときの電力供給源が外部電力であることを識別する電力供給情報をＲＡＭ５３に記憶させる。
［００７７］
ＲＡＭ５３に記憶された情報の開閉信号１０２ａを受けたときの日時情報、電力供給源を識別する電力供給情報及び外部電源が投入されたときの日時情報は、開、閉日時情報２０１、２０２、電力供給源識別情報２０４及び外部電源投入日時情報２０３として、図１６に示すように、表示装置９の表示画面９１に表示させることができる。
［００７８］
実施例３における電源供給制御手段をなす電源供給制御部５０は、ＲＯＭ５１、ＣＰＵ５２に供給する電力を制御するＣＰＵ電源供給制御部５００と、ＲＡＭ５３及び時計モジュール５６に供給する電力を制御するＲＡＭ電源供給制御部５５０を含んでいる。
［００７９］
図１３に示すように、ＣＰＵ電源供給制御部５００は、扉開閉検出センサ６０から出力される開閉信号１０２ａを信号処理する信号処理部５１０と、開閉信号１０２ａに基づいてバックアップ電力を出力させるためのバックアップ電源供給制御信号１０３を生成す
【国際調査報告】
2007122935.tif 000019
2007122935.tif 000020
2007122935.tif 000021